【事件の表示】
　特願２００２−　６２９３５「情報閲覧プログラム、情報閲覧プログラムを記録した記録媒体、情報閲覧装置及び方法、情報生成プログラム、情報生成プログラムを記録した記録媒体、情報生成装置及び方法、情報生成閲覧システム」拒絶査定不服審判事件〔平成１５年　３月１４日出願公開、特開２００３−　７６７１９〕について、次のとおり審決する。
【結　論】
　本件審判の請求は、成り立たない。
【理　由】
１．手続の経緯
　本願は、平成１４年３月８日の出願（国内優先日：平成１３年６月２２日）であって、平成１６年５月２１日付（発送日：５月２８日）で拒絶査定がなされ、これに対し、同年６月２８日に拒絶査定不服審判の請求がなされるとともに、同年７月２７日付で手続補正がなされたものである。
　
２．平成１６年７月２７日付の手続補正についての補正却下の決定
［補正却下の決定の結論］
　平成１６年７月２７日付の手続補正を却下する。
　
［理由］
（１）補正後の発明
　本件補正により、特許請求の範囲は、
「【請求項１】
　インターネット上で格納場所が一意に設定されている各サイトについての情報が配置された仮想空間内で、利用者により任意に指示され上記情報を入手するために移動されるチューニング位置を検出するチューニング位置検出部、
　上記チューニング位置に対して仮想的な広がりを有するチューニング領域内に入る上記情報の配置位置を検出する配置位置検出部、
　上記配置位置検出部により検出された配置位置に対応する上記情報を上記格納場所から取得する情報取得部、
　上記チューニング位置と上記検出された配置位置との間の相対的な位置関係を検出する位置関係検出部、
　上記情報取得部により取得された情報の内容を、上記チューニング位置の移動に伴って、上記位置関係検出部が検出した位置関係に応じて同時に提示する情報提示部
　としてコンピュータに機能させるための情報閲覧プログラム。
　【請求項２】
　請求項１記載の情報閲覧プログラムであって、
　上記位置関係の検出は、上記チューニング位置と上記配置位置との間の仮想空間内距離を、上記位置関係を表す値の一つとして検出し、
　上記情報の内容の提示は、上記情報の内容を表す画像を、上記仮想空間内距離が遠くなるほど小さくなる半透明度の表示状態で提示することを特徴とする情報閲覧プログラム。
　【請求項３】
　請求項１記載の情報閲覧プログラムであって、
　上記位置関係の検出は、上記チューニング位置と上記配置位置との間の仮想空間内距離を、上記位置関係を表す値の一つとして検出し、
　上記情報の内容の提示は、上記情報の内容を表す画像を、上記仮想空間内距離が遠くなるほど大きくなる角度に調整した表示状態で提示することを特徴とする情報閲覧プログラム。
　【請求項４】
　請求項１から請求項３のうち、何れか一項記載の情報閲覧プログラムであって、
　上記位置関係の検出は、上記チューニング位置から上記配置位置への仮想空間内での方角を、上記位置関係を表す値の一つとして検出し、
　上記情報の内容の提示は、上記情報の内容を表す画像を、上記方角に応じて画面上に配した表示状態で提示することを特徴とする情報閲覧プログラム。
　【請求項５】
　請求項１から請求項４のうち、何れか一項記載の情報閲覧プログラムであって、
　上記情報の内容の提示は、利用者からの所定の指示に応じて、上記仮想的な広がりを有するチューニング領域内で検出された全ての配置位置のうちで最も上記チューニング位置に近い配置位置に対応する情報のみを提示することを特徴とする情報閲覧プログラム。
　【請求項６】
　請求項１から請求項５のうち、何れか一項記載の情報閲覧プログラムであって、
　少なくとも上記仮想空間と上記仮想空間内の上記配置位置と上記仮想空間内の上記チューニング位置とを表す画像を、生成して表示することを更にコンピュータに機能させることを特徴とする情報閲覧プログラム。
　【請求項７】
　請求項１から請求項６のうち、何れか一項記載の情報閲覧プログラムであって、
　利用者からの指示に応じて、上記仮想空間内で上記情報の配置位置を検出可能な範囲を変更する範囲変更部、
　上記配置位置の検出可能な範囲の大きさに応じて、上記仮想的な広がりの領域内で検出される上記情報の配置数を変更する配置数変更部
　として更にコンピュータに機能させることを特徴とする情報閲覧プログラム。
　【請求項８】
　請求項１から請求項７のうち、何れか一項記載の情報閲覧プログラムであって、
　上記仮想空間は１次元空間であることを特徴とする情報閲覧プログラム。
　【請求項９】
　請求項１から請求項７のうち、何れか一項記載の情報閲覧プログラムであって、
　上記仮想空間は２次元以上の多次元空間であることを特徴とする情報閲覧プログラム。
　【請求項１０】
　インターネット上で格納場所が一意に設定されている各サイトについての情報が配置された仮想空間内で、利用者により任意に指示され上記情報を入手するために移動されるチューニング位置を検出するチューニング位置検出部、
　上記チューニング位置に対して仮想的な広がりを有するチューニング領域内に入る上記情報の配置位置を検出する配置位置検出部、
　上記配置位置検出部により検出された配置位置に対応する上記情報を上記格納場所から取得する情報取得部、
　上記チューニング位置と上記検出された配置位置との間の相対的な位置関係を検出する位置関係検出部、
　上記情報取得部により取得された情報の内容を、上記チューニング位置の移動に伴って、上記位置関係検出部が検出した位置関係に応じて同時に提示する情報提示部
　としてコンピュータに機能させるための情報閲覧プログラムを記録したコンピュータ読み取り可能な記録媒体。
　【請求項１１】
　請求項１０記載の記録媒体であって、
　上記位置関係の検出は、上記チューニング位置と上記配置位置との間の仮想空間内距離
を、上記位置関係を表す値の一つとして検出し、
　上記情報の内容の提示は、上記情報の内容を表す画像を、上記仮想空間内距離が遠くなるほど小さくなる半透明度の表示状態で提示することを特徴とする情報閲覧プログラムを記録したコンピュータ読み取り可能な記録媒体。　
　【請求項１２】
　請求項１０記載の記録媒体であって、
　上記位置関係の検出は、上記チューニング位置と上記配置位置との間の仮想空間内距離を、上記位置関係を表す値の一つとして検出し、
　上記情報の内容の提示は、上記情報の内容を表す画像を、上記仮想空間内距離が遠くなるほど大きくなる角度に調整した表示状態で提示することを特徴とする情報閲覧プログラムを記録したコンピュータ読み取り可能な記録媒体。
　【請求項１３】
　請求項１０から請求項１２のうち、何れか一項記載の記録媒体であって、
　上記位置関係の検出は、上記チューニング位置から上記配置位置への仮想空間内での方角を、上記位置関係を表す値の一つとして検出し、
　上記情報の内容の提示は、上記情報の内容を表す画像を、上記方角に応じて画面上に配した表示状態で提示することを特徴とする情報閲覧プログラムを記録したコンピュータ読み取り可能な記録媒体。
　【請求項１４】
　請求項１０から請求項１３のうち、何れか一項記載の記録媒体であって、
　上記情報の内容の提示は、利用者からの所定の指示に応じて、上記仮想的な広がりを有するチューニング領域内で検出された全ての配置位置のうちで最も上記チューニング位置に近い配置位置に対応する情報のみを提示することを特徴とする情報閲覧プログラムを記録したコンピュータ読み取り可能な記録媒体。
　【請求項１５】
　請求項１０から請求項１４のうち、何れか一項記載の記録媒体であって、
　少なくとも上記仮想空間と上記仮想空間内の上記配置位置と上記仮想空間内の上記チューニング位置とを表す画像を、生成して表示することを更にコンピュータに機能させることを特徴とする情報閲覧プログラムを記録したコンピュータ読み取り可能な記録媒体。
　【請求項１６】
　請求項１０から請求項１５のうち、何れか一項記載の記録媒体であって、
　利用者からの指示に応じて、上記仮想空間内で上記情報の配置位置を検出可能な範囲を
変更する範囲変更部、
　上記配置位置を検出可能な範囲の大きさに応じて、上記仮想的な広がりの領域内で検出される上記情報の配置数を変更する配置数変更部　として更にコンピュータに機能させることを特徴とする情報閲覧プログラムを記録したコンピュータ読み取り可能な記録媒体。
　【請求項１７】
　請求項１０から請求項１６のうち、何れか一項記載の記録媒体であって、
　上記仮想空間は１次元空間であることを特徴とする情報閲覧プログラムを記録したコンピュータ読み取り可能な記録媒体。
　【請求項１８】
　請求項１０から請求項１６のうち、何れか一項記載の記録媒体であって、
　上記仮想空間は２次元以上の多次元空間であることを特徴とする情報閲覧プログラムを記録したコンピュータ読み取り可能な記録媒体。
　【請求項１９】
　インターネット上で格納場所が一意に設定されている各サイトについての情報が配置された仮想空間内で、利用者により任意に指示され上記情報を入手するために移動されるチューニング位置を検出するチューニング位置検出部と、
　上記チューニング位置に対して仮想的な広がりを有するチューニング領域内に入る上記情報の配置位置を検出する配置位置検出部と、
　上記配置位置検出部により検出された配置位置に対応する上記情報を上記格納場所から取得する情報取得部と、
　上記チューニング位置と上記検出された配置位置との間の相対的な位置関係を検出する位置関係検出部と、
　上記情報取得部により取得された情報の内容を、上記チューニング位置の移動に伴って、上記位置関係検出部が検出した位置関係に応じて同時に提示し得る情報提示部とを有する
　ことを特徴とする情報閲覧装置。
　【請求項２０】
　請求項１９記載の情報閲覧装置であって、
　上記位置関係検出部は、上記チューニング位置と上記配置位置との間の仮想空間内距離を、上記位置関係を表す値の一つとして検出し、
　上記情報提示部は、上記情報の内容を表す画像を、上記仮想空間内距離が遠くなるほど小さくなる半透明度の表示状態で提示することを特徴とする情報閲覧装置。
　【請求項２１】
　請求項１９記載の情報閲覧装置であって、
　上記位置関係検出部は、上記チューニング位置と上記配置位置との間の仮想空間内距離を、上記位置関係を表す値の一つとして検出し、
　上記情報提示部は、上記情報の内容を表す画像を、上記仮想空間内距離が遠くなるほど大きくなる角度に調整した表示状態で提示することを特徴とする情報閲覧装置。
　【請求項２２】
　請求項１９から請求項２１のうち、何れか一項記載の情報閲覧装置であって、
　上記位置関係検出部は、上記チューニング位置から上記配置位置への仮想空間内での方角を、上記位置関係を表す値の一つとして検出し、
　上記情報提示部は、上記情報の内容を表す画像を、上記方角に応じて画面上に配した表示状態で提示することを特徴とする情報閲覧装置。
　【請求項２３】
　請求項１９から請求項２２のうち、何れか一項記載の情報閲覧装置であって、
　上記情報提示部は、利用者からの所定の指示に応じて、上記仮想的な広がりを有するチューニング領域内で検出された全ての配置位置のうちで最もチューニング位置に近い配置位置に対応する情報のみを提示することを特徴とする情報閲覧装置。
　【請求項２４】
　請求項１９から請求項２３のうち、何れか一項記載の情報閲覧装置であって、
　少なくとも上記仮想空間と上記仮想空間内の上記配置位置と上記仮想空間内の上記チューニング位置とを表す画像を、生成して表示する画像生成部を更に備えることを特徴とする情報閲覧装置。
　【請求項２５】
　請求項１９から請求項２４のうち、何れか一項記載の情報閲覧装置であって、
　利用者からの指示に応じて、上記仮想空間内で上記情報の配置位置を検出可能な範囲を変更する範囲変更部と、
　上記配置位置を検出可能な範囲の大きさに応じて、上記仮想的な広がりの領域内で検出される上記情報の配置数を変更する配置数変更部とを更に備えることを特徴とする情報閲覧装置。
　【請求項２６】
　請求項１９から請求項２５のうち、何れか一項記載の情報閲覧装置であって、
　上記仮想空間は１次元空間であることを特徴とする情報閲覧装置。
　【請求項２７】
　請求項１９から請求項２５のうち、何れか一項記載の情報閲覧装置であって、
　上記仮想空間は２次元以上の多次元空間であることを特徴とする情報閲覧装置。
　【請求項２８】
　インターネット上で格納場所が一意に設定されている各サイトについての情報が配置された仮想空間内で、利用者により任意に指示され上記情報を入手するために移動されるチューニング位置を検出し、
　上記チューニング位置に対して仮想的な広がりを有するチューニング領域内に入る上記情報の配置位置を検出し、
　上記検出された配置位置に対応する上記情報を上記格納場所から取得し、
　上記チューニング位置と上記検出された配置位置との間の相対的な位置関係を検出し、
　上記取得された情報の内容を、上記チューニング位置の移動に伴って、上記位置関係に応じて同時に提示する
　ことを特徴とする情報閲覧方法。
　【請求項２９】
　インターネット上で格納場所が一意に設定されている各サイトについての情報を収集する情報収集部と、上記収集された情報を内部に配置した仮想空間を生成する空間生成部と、情報閲覧時に使用される閲覧用情報を上記仮想空間から生成する情報生成部とを有する情報生成手段と、
　上記情報生成手段の情報格納部から読み出された上記閲覧用情報を取得する閲覧用情報取得部と、上記閲覧用情報に含まれる仮想空間内で利用者により任意に指示され上記情報を入手するために移動されるチューニング位置を検出するチューニング位置検出部と、上記チューニング位置に対して仮想的な広がりを有するチューニング領域内に入る上記情報の配置位置を検出する配置位置検出部と、上記配置位置検出部により検出された配置位置に対応する上記情報を上記格納場所から取得する情報取得部と、上記チューニング位置と上記検出された配置位置との間の相対的な位置関係を検出する位置関係検出部と、上記情報取得部により取得された情報の内容を、上記チューニング位置の移動に伴って、上記位置関係検出部が検出した位置関係に応じて同時に提示し得る情報提示部とを有する情報閲覧手段とを備える
　ことを特徴とする情報生成閲覧システム。」
　と補正された。
　
　上記補正は、補正前の請求項１、１０、１９、２８および請求項２９において、「チューニング位置」について「移動される」という限定を付加し、そして、「情報提示部」について「チューニング位置の移動に伴って」という限定を付加するものであって、特許法第１７条の２第４項第２号の特許請求の範囲の減縮を目的とするものに該当する。
　そこで、本願補正後の請求項１の発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）刊行物
（Ａ）原査定の拒絶の理由に引用文献２として引用された特開平１０−１８７７６１号公報（以下、「引用文献２」という。）には、以下の記載がある。
（ア）「【００１４】
　　　【発明の実施の形態】
　（実施の形態１）
　以下、第１の発明の一実施例を図面を参照しながら説明する。
　　　【００１５】
　第１の発明の一実施例として、インターネットにおけるワールドワイドウェブ（Ｗｏｒｌｄ　Ｗｉｄｅ　Ｗｅｂ、以下ＷＷＷと記述する）検索装置を示す。図１は本発明の第１の実施形態に係わるＷＷＷ検索装置のシステム構成図である。」
（イ）「【００１７】
　以上のように構成されたシステムが実行されるハードウェア構成を図２に示す。図２は基本的に汎用の計算機システムの構成と同じであり、図１で示した利用者モデル入力部１０１と、検索条件入力部１０２と、感性データベース１０４と、ＵＲＬ出力部１０７とを備えている。図２の構成部分のうち図１のシステム構成と同一構成部分については同一番号を付しており、説明を省略する。図２において、２０１は表示のためのデータを記憶するＶＲＡＭ、２０２は処理のためのプログラムやデータを実行時に記憶する主記憶装置、２０３はプログラムやデータを蓄積しておく外部記憶装置、２０４は外部記憶装置２０３に記憶されているプログラムを主記憶２０２にロードして実行するＣＰＵである。
　　　【００１８】
　以上のように構成された情報検索装置の動作を図３のフローチャートを参照しながら説明する。
　　　【００１９】
　ステップ３０１では、利用者モデル入力部１０１において、利用者から利用者モデルの入力を受け付ける。利用者モデルの入力は例えば図４のような画面からマウスなどを用いて行う。利用者は自分に合ったモデルを選択してもよいし、他のモデルを選択してもかまわない。
　　　【００２０】
　ステップ３０２では、検索条件入力部１０２において、利用者から検索条件の入力を受け付ける。検索条件の入力は、例えば図５のような座標平面を用いて行なう。座標軸には感性語が付けられ、利用者はマウスなどを用いて領域上の一点を指定する。軸は一般に用いられるようにｘ軸、ｙ軸で識別し、各軸の範囲は−１００〜１００の間の整数とする。検索条件入力に用いられる座標平面は、複数用意してもよい。その場合、利用者は自由に座標平面を選ぶことができる。各座標平面にはその識別に用いられる平面番号が付けられ、各座標軸に付加される感性語はそれぞれ異なったものである。なお、座標平面の例では入力に感性語を付加したが、必ずしも感性語を利用者に提示する必要はない。例えば、検索条件の入力に絵を用いることもできる。
　　　【００２１】
　ステップ３０３では、ステップ３０２で入力に用いられた感性表現属性系列を、感性語と特徴量に変換する。検索条件の入力に座標平面を用いた例では、利用者が選択した平面の番号とその座標値を用いて変換を行なう。特徴量変換プロセス部１０３では平面番号とその番号の座標軸に付加されている感性語との対応を図６に示されるように記憶している。また、特徴量にはステップ３０２で入力された座標値を用いる。つまり、入力値（平面番号，ｘ，ｙ）＝（１，２０，３０）は、（楽しさ＝２０）、（新しさ＝３０）と変換される。この例では、座標値を特徴量に用いたが、必ずしも座標値を用いなくてもよい。例えば、検索条件の入力に絵を用いる場合は、図７に示すようにそれぞれの絵の番号に対して、感性語とその特徴量を記憶し、変換を行う。
　　　【００２２】
　ステップ３０４では、ステップ３０１で入力された利用者モデルを利用して感性データベース１０４に記憶されているＵＲＬに関連づけられている感性表現属性系列の値を補正する。感性データベース１０４には、図８に示すように、ステップ３０３で変換される感性表現属性系列に対して、ＵＲＬがどのような特徴量を持つかをＵＲＬに関連づけて記憶している。利用者モデルと感性表現属性系列の補正値は、図９に示すように記憶している。これらの値を加えることによって、感性データベースに蓄積されている感性表現属性系列の値を補正する。例えば、ステップ３０１で入力された利用者もでるが「おかあさん」の場合、図８の（楽しさ＝２０，新しさ＝２０）なるデータは、（楽しさ＝３０，新しさ＝２０）に補正される。
　　　【００２３】
　ステップ３０５では、ステップ３０３で変換された感性表現属性系列の特徴量とステップ３０４で補正された感性データベースに蓄積されるデータの補正値を用いて、感性データベース１０４に記憶されているＵＲＬの中から利用者の入力した感性表現にあったものを指定された数だけ検索する。この検索数はＷＷＷ検索装置で固定してもよいし、検索条件入力部で利用者に入力させてもよい。利用者の入力した感性表現にあったＵＲＬを検索するため、ステップ３０３で変換された感性表現属性系列の特徴量をｎ次元空間上の点と考え、その点とステップ３０４で補正された感性データベースに蓄積されている感性表現属性系列の値との距離が近いものから指定数だけ感性データベース１０４のＵＲＬデータを検索する。例えば、ステップ３０３で変換されたものを（楽しさ＝２０）、（新しさ＝３０）、感性データベース１０４に存在する各ＵＲＬデータの「楽しさ」の値ａと「新しさ」の値ｂに対してステップ３０４で補正された値をそれぞれａ’，ｂ’とすれば、２次元上での（ａ’，ｂ’）と（２０，３０）との距離を計算する。このようにして、感性データベース１０４に存在するＵＲＬの中で、点（２０，３０）に近いものから指定数のＵＲＬを検索する。
　　　【００２４】
　ステップ３０６では、ステップ３０５で検索されたＵＲＬをＵＲＬ出力部１０５に表示する。表示例としては図１０に示すようなものが考えられる。」
　
　これら（ア）、（イ）の記載ならびに図面を総合すると、引用文献２には、以下の発明（以下「引用文献２発明」という。）が開示されていると認めることができる。
「インターネットにおけるワールドワイドウェブ検索装置であって、各ＵＲＬは、所定座標平面上に座標値を持った点として関連付けられており、利用者は、座標平面上の一点を指定してその点の座標値を取得し、その座標値を利用者モデルに応じた補正値で補正して、入力値データとし、この入力値データと各ＵＲＬに関連付けられた座標値との距離を計算して、入力値データから近いＵＲＬを指定数個検索して表示する情報検索装置」
　
（Ｂ）原査定の拒絶の理由に引用文献５として引用された特開平１０−３０７９３６号公報（以下、「引用文献５」という。）には、以下の記載がある。
（ウ）「【０００１】
　　【発明の属する技術分野】
　本発明は、データの表示方法特にデータベースとして格納されたデータを表示装置に表示するためのデータの表示方法に関するものである。」
（エ）「【００１２】
　　【課題を解決するための手段】
　上記の課題を解決するため、請求項１記載のデータの表示方法は、２次元の画面の横方向のＸ軸と縦方向のＹ軸と仮想的な奥行き方向のＺ軸とを有する仮想的な３次元座標空間内でのデータの表示方法において、上記データの内容を縮小画像として生成し、上記空間内のＸ軸とＺ軸に、上記各データの属性をそれぞれ設定し、上記各データの上記属性の値に対応するＸ座標およびＺ座標を有する位置に、上記縮小画像を表示することにより各データの内容を上記画面に一覧表示し、上記空間内のどの部分をどの角度から見た画像を画面に表示させるかを表す、上記空間内に連続的に入力された視点に基づき、その視点の上記空間内の軌跡を、画面内の上記縮小画像の表示に重ねて表示することを特徴としている。
　　　【００１３】
　上記の方法により、各データの内容が縮小画像として、仮想的な３次元座標空間内の、Ｘ軸とＺ軸とにそれぞれ設定された各データの属性に対応する位置に配置されて一覧表示される。
　　　【００１４】
　この仮想的な３次元座標空間内で、ユーザが、任意の視線方向へと移動する視点を連続的に入力することにより、「視点の移動」を指示する。
　　　【００１５】
　すると、まず、その視線方向に応じて、上記の画像が、実際にその空間をユーザがその視点の移動の通りに移動したときに得られるのと同じ視覚が得られるように、全体的に、平行移動や拡大／縮小等のような変形を、時間の推移に沿って行いながら画面に表示される。例えば、Ｚ軸方向に進むように視点の移動を指示すれば、Ｚ軸の表す属性の値の変化に伴ってデータがどのように変わっていくのかが、各データの内容を表す画像の移動によって視覚的に容易に分かる。Ｘ軸方向についても同様である。また、Ｘ軸とＺ軸との中間の方向に視点の移動を指示すれば、両属性の値の変化に伴うデータの変化が容易に分かる。」
（オ）「【０１６６】
　本発明のデータの表示方法を実施するための表示装置は、２次元の画面上に、仮想的な３次元座標空間を設定し、そこに立体的に各種データを表示するものであり、上記空間においては、ＸＹＺの各軸が左手系で設定されている。すなわち、画面横（水平）方向に右向きにＸ軸、画面縦（垂直）方向真上向きにＹ軸、画面の仮想的な「奥行き」方向にＺ軸がそれぞれ設定されている。」
（カ）「【０１７０】
  ここで、本発明のデータ表示方法における表示形態を説明する。
　図２に示すように、Ｚ軸方向は日時を表している。日時に対応するカレンダーモデル２０１は直方体で表され、３次元座標空間のＺ軸上に配置され一定の期間を表している。図では一部しか表していないが、カレンダーモデル２０１上には、所定の間隔で日時が併記されている。
　　　【０１７１】
　Ｘ軸方向は分類を表している。各分類に対応する分類モデル２０２は、分類を併記した直方体で表され、３次元座標空間のＸ軸上に所定の間隔で配置されている。
　　　【０１７２】
　各データモデル２０３…は、そのデータモデルの作成日時および分類に対応して、カレンダーモデル２０１と分類モデル２０２とによって定められる格子状の該当する位置に配置される。データモデル２０３…は直方体で表され、データモデル２０３…は、Ｚ軸と直交する平面、すなわちＸＹ平面と平行に配置され、前面には、図示していないが、データの縮小画像（サムネイル）が表示される。」
（キ）「【０１８５】
　入力部１０８には、ユーザによる視点変更の指示が入力される。視点変更の指示は視点変更部１０９に入力され、３次元座標空間における視点の位置を変更し、表示部１０７で表示出力させる。
　　　【０１８６】
　本実施の形態の表示装置に表示される３次元座標空間において、ユーザの視点を移動させた状態を図３に示す。図中の矢印は視点の移動を示すものであり、このように「前」すなわちＺ軸に沿って奥方向に進むことにより、次々とデータの内容を確認していくことができる。また、データモデルに近づくにつれてデータの内容はズームアップして拡大されるため、遠方からは概観しかわからなかった内容も、正確に表示することができる。また、斜め上から見るように、見る角度を変えることにより、真っ正面から見た場合には一部のデータモデルに隠れて見えなかった他のデータモデルの内容を、確認することができる。
　　　【０１８７】
　図４は、側面から見たときの表示例であり、特定の日付のデータを検索することができる。また、図５は、真上から見たときの表示例であり、各分類における時間的な分布を見ることができる。」
（ク）「【０２００】
　この構成による表示動作を図１６を用いて説明する。
　まず、データ記憶メモリ２１にデータおよび属性が記憶される（Ｓ６１）。データ記憶メモリ２１から属性を読み出して３次元座標を生成し、３次元座標メモリ２４に記憶させる（Ｓ６２）。これにより、例えば図１７のような３次元座標値が生成される。次に、データ記憶メモリ２１に記憶されているデータを読み出し（Ｓ６３）、データを表すための表示図形を生成し、図形メモリに記憶する（Ｓ６４）。次に、３次元座標メモリ２４および図形メモリ２５に記憶されているデータを基にディスプレイ装置２７に表示するための画像を生成し、表示する（Ｓ６５）。このようにして得られた表示画面の例を図１８に示す。」
　
　これら（ウ）〜（ク）の記載ならびに図面を総合すると、引用文献５には、以下の技術が開示されていると認めることができる。
「仮想空間内の所定位置に、データベースに格納されている複数の画像（ＵＲＬから取得した画像を含む）を個別に配置し、ユーザはこの仮想空間内の任意の位置に視点を設定ないし移動させることができるものであって、前記仮想空間内に配置された前記複数の画像の配置位置と前記視点の位置に応じ、視点の移動に伴って、複数の画像の表示態様を変化させるように表示する方法」
　
（３）対比
　引用文献２発明と本願補正発明とを対比するに先立って、まず、本願補正された請求項１に記載された事項の意味するところを明確にしておく。
　請求項１の「上記情報取得部により取得された情報の内容を・・・同時に提示する」という事項に関して、「情報の内容」については「同時に提示する」とあるから、提示される情報の内容は複数であると理解できる。
　したがって、上記の事項は、「上記情報取得部により取得された
複数の
　また、請求項１の「位置関係に応じて同時に提示する」という事項において、「位置関係に応じて」の意味が不明瞭であるが、本願明細書および図面の記載からみて、上記の事項は、「位置関係が変わればそれに応じて同時に表示される情報の表示態様を変化させて提示する」の意味に解釈する。
　
　以上を踏まえて、引用文献２発明と本願補正発明とを対比する。
　引用文献２発明において、「インターネットにおけるワールドワイドウェブ検索装置であって、各ＵＲＬは、所定座標平面上に座標値を持った点として関連付けられている」ことは、本願補正発明において「インターネット上で格納場所が一意に設定されている各サイトが配置された仮想空間」を備えていることに対応し、引用文献２発明の「ＵＲＬ」、「座標平面上」、「座標値を持った点」は、それぞれ本願補正発明の「格納場所（あるいはサイト）」、「仮想空間内」、「配置された」位置、に相当する。
　そして、引用文献２発明において「利用者が、座標平面上の一点を指定してその点の座標値を取得し、その座標値を利用者モデルに応じた補正値で補正して、入力値データとする」ことは、本願補正発明において「利用者により任意に指示され上記情報を入手するためにチューニング位置を検出するチューニング位置検出部」を備えていることに対応し、引用文献２発明の「入力値データ」は、本願補正発明の「チューニング位置」に相当する。
　また、引用文献２発明では、入力値データに対して仮想的な広がりを考慮していることは明らかであり、その仮想的な広がりの中で「各ＵＲＬに関連付けられた座標値」を検出し、さらにその座標値と入力値データとの距離を検出しているのであるから、引用文献２発明において「この入力値データと各ＵＲＬに関連付けられた座標値との距離を計算して、入力値データから近いＵＲＬを指定数個検索」することは、本願補正発明において「上記チューニング位置に対して仮想的な広がり領域にある情報の配置位置を検出する配置位置検出部」および「チューニング位置と検出された配置位置との間の相対的な位置関係を検出する位置関係検出部」を備えていることに対応する。
　さらに、引用文献２発明は、各ＵＲＬを所定座標平面上に座標値を持った点として関連付けたり、利用者が指定した点の座標値を取得したり、入力値データと各ＵＲＬに関連付けられた座標値との距離を計算したりする処理を、プログラムによってコンピュータに行わせているから、引用文献２発明が情報検索装置の各処理をコンピュータに機能させるためのプログラムを備えていることは明らかである。
　
　以上のことから、両者は、
＜一致点＞
「インターネット上で格納場所が一意に設定されている各サイトが配置された仮想空間内で、利用者により任意に指示され上記情報を入手するためにチューニング位置を検出するチューニング位置検出部、
　上記チューニング位置に対して仮想的な広がり領域にある上記情報の配置位置を検出する配置位置検出部、
　上記チューニング位置と上記検出された配置位置との間の相対的な位置関係を検出する位置関係検出部
　としてコンピュータに機能させるためのプログラム。」
　である点で一致し、以下の点で相違している。
　
＜相違点１＞
　引用文献２発明は、利用者によって指示される入力値データ（チューニング位置に対応する）は任意の１点であり、その位置を移動させることは記載されていないのに対し、本願補正発明は、任意に指示されるチューニング位置を移動させることができる点
＜相違点２＞
　引用文献２発明は、入力値データと所定座標値との距離を検出して、入力値データに対して近傍にある座標値（配置位置に対応する）を複数個検出しているのに対し、本願補正発明は、チューニング位置に対して仮想的な広がりを有するチューニング領域を設定し、その領域内に入る配置位置を検出している点
＜相違点３＞
　引用文献２発明は、入力値データに近い座標値に対応付けられた複数のＵＲＬについて、そのＵＲＬを単に表示するものであるのに対し、本願補正発明は、チューニング位置に近い配置位置に対応付けられた複数のサイトの情報を格納場所（ＵＲＬ）から取得している点、すなわち、引用文献２には、「配置位置検出部により検出された配置位置に対応する（各サイトについての）情報を格納場所（ＵＲＬ）から取得する情報取得部」について記載がない点。
＜相違点４＞
　引用文献２には、「情報取得部により取得された情報の内容を、チューニング位置の移動に伴って、位置関係検出部が検出した位置関係に応じて同時に提示する情報提示部」について記載がない点。
　
（４）判断
ａ．本件の事案に鑑み、まず相違点２から検討する。
　引用文献２発明は、入力値データに対して座標平面（仮想空間）に配置された座標値を取得し、入力値データからの距離を計算して、近い順に指定個数分の座標値（に対応するＵＲＬ）を取得している。
　すなわち、引用文献２には、入力値データに対して仮想的な広がりを有する領域は明示されていないものの、入力値データ近傍の領域に存在している座標値に注目し、その距離を検出していることは明らかである。
　そして、所定位置近傍を検索するに際して、所定位置に対して仮想的な広がりを有する領域を設定し、その領域内を検索範囲とする手法は周知慣用なものであるので、引用文献２発明において、入力値データ近傍の座標値を取得するに際し、本願補正発明のように、入力値データ（チューニング位置）に対して仮想的な広がりを有する領域内に入る座標値（配置位置）を検出するようにすることは、容易に想到できたものと認められる。
ｂ．次に、相違点３について検討する。
　引用文献２発明は、複数のＵＲＬを取得した後、そのＵＲＬを単に表示するだけで、そのＵＲＬから取得される情報（トップページなど）を表示していない。
　しかしながら、拒絶査定時に文献６として提示された（拒絶理由通知時にも先行技術文献として挙げられている）、
・武藤，新井，情報検索におけるブラウジング作業を支援するＷＷＷブラウザの提案，情報処理学会研究報告，日本，社団法人情報処理学会，１９９９年２月２５日，Vol.99,No.18,p.43-48,(99-DPS-92-8)
に記載されているように、所望のサイト（ＵＲＬ）を検索ないし表示するに際し、サイトからウエッブページ（画像）を取得して、その画像を画面に同時に表示することは周知な技術である。
　したがって、取得された複数のＵＲＬを単に表示することに換え、ＵＲＬから取得したトップページ等の画像を表示するようにすることは、当業者が適宜なし得たものと認められる。
ｃ．最後に、相違点１と相違点４について合わせて検討する。
　引用文献２発明は、入力値データを１点で指定しているが、その１点の指定は任意に行うことができることから、その指定を連続的に行うこと、すなわち、入力値データの指定点を連続的に移動できるようにすることは、当業者が容易に想到し得る程度のことと認められる。
　したがって、相違点１に格別のものを認めることはできない。
　そして、引用文献５に、仮想（三次元）空間内の所定位置に配置された複数の情報（図１８にあるように、ＵＲＬから取得した画像情報も含まれている）に対し、ユーザが任意の位置に視点を移動させることができ、前記複数の情報の配置位置と前記視点の位置に応じて、複数の情報の表示態様を変化させることが記載されているから、引用文献２発明において、指定する入力値データと、仮想空間に配置された複数の情報の位置関係に応じて、情報の表示態様を変化させるようにすることは、引用文献５に記載されたものから当業者が容易に想到し得たものと認められる。
　その他、本願補正発明の効果を勘案しても、格別の点を認めることはできない。
　したがって、本願補正発明は、引用文献２、引用文献５に記載された発明および周知技術に基づいて、当業者が容易に発明をすることができたものであるから、特許法第２９条第２項の規定により特許出願の際独立して特許を受けることができない。
　
（５）むすび
　以上のとおり、本件補正は、平成１８年改正前特許法第１７条の２第５項で準用する同法第１２６条第５項の規定に違反するものであり、特許法第１５９条第１項の規定において読み替えて準用する特許法第５３条第１項の規定により却下されるべきものである。
　
３．本願発明について
（１）補正前の発明
　平成１６年７月２７日付の手続補正は上記のとおり却下されたので、本願の請求項１に係る発明（以下、同項記載の発明を「本願発明」という。）は、平成１６年４月２６日付手続補正書の特許請求の範囲の請求項１に記載された事項により特定される、以下のとおりのものである。
「【請求項１】
　インターネット上で格納場所が一意に設定されている各サイトについての情報が配置された仮想空間内で、利用者により任意に指示され上記情報を入手するためのチューニング位置を検出するチューニング位置検出部、
　上記チューニング位置に対して仮想的な広がりを有するチューニング領域内に入る上記情報の配置位置を検出する配置位置検出部、
　上記配置位置検出部により検出された配置位置に対応する上記情報を上記格納場所から取得する情報取得部、
　上記チューニング位置と上記検出された配置位置との間の相対的な位置関係を検出する位置関係検出部、
　上記情報取得部により取得された情報の内容を、上記位置関係検出部が検出した位置関係に応じて同時に提示する情報提示部
　としてコンピュータに機能させるための情報閲覧プログラム。」
　
（２）刊行物
　原査定の拒絶の理由に引用された引用文献２および引用文献５の記載事項は、前記「２．（２）」に記載したとおりである。
　
（３）対比・判断
　本願発明は、前記２．で検討した本願補正発明の「移動されるチューニング位置」から「移動される」という限定事項を除き、かつ「チューニング位置の移動に伴って」という限定事項を除いたものである。
　そうすると、本願発明と引用文献２に記載された発明は、前記「２．（３）」で対比したとおり、＜一致点＞で一致し、＜相違点２＞、＜相違点３＞および＜相違点４＞で相違しているということができ、＜相違点２＞および＜相違点３＞については、前記「２．（４）」に記載したとおりの理由で、当業者が容易に想到できたものであり、＜相違点４＞についても、限定事項を除いただけであるから、前記「２．（４）」に記載したのと同様の理由で、当業者が容易に想到できたといえる。
　
（４）むすび
　以上のとおり、本願発明は、引用文献２、引用文献５に記載された発明および周知技術に基づいて、当業者が容易に発明をすることができたものであるから、特許法第２９条第２項の規定により特許を受けることができない。
　したがって、他の請求項に係る発明についての検討・判断を示すまでもなく、本願は拒絶されるべきものである。
　よって、結論のとおり審決する。